(57)【要約】【課題】急に投影させなければならなくなった画像データを通信ネットワークを介して取得して迅速に投影することができる画像投影装置を提供すること。【解決手段】画像データに応じた画像を投影する投影部を有する画像投影装置１において、通信ネットワークを介して電子メールを受信する。そして、画像投影装置１は、受信した電子メールの内容を解析し、当該電子メールが所定条件を満たすか否かを判定する。投影部において前記画像を投影している状態で、受信した電子メールが所定条件を満たすと判定されると、当該電子メールに応じた画像を投影中の画像に代えて投影部から投影する割り込み処理を許可する。割り込み処理が許可された後、ユーザによる所定操作によって、この割り込み処理を実行する。【選択図】図３
2009003356.tif 000002
【特許請求の範囲】
【請求項１】
画像データに応じた画像を投影する投影部を有する画像投影装置において、
通信ネットワークを介して電子メールを受信する受信手段と、
前記受信手段により受信した電子メールの内容を解析し、当該電子メールが所定条件を満たすか否かを判定する内容解析手段と、
前記投影部において前記画像を投影している状態で、前記内容解析手段の解析により前記受信した電子メールが前記所定条件を満たすと判定されると、当該電子メールに応じた画像を前記投影している画像に代えて前記投影部から投影する割り込み処理を許可する割込許可手段と、
前記許可された割り込み処理を実行する割込処理実行手段と、を備えた
ことを特徴とする画像投影装置。
【請求項２】
前記内容解析手段は、前記受信した電子メールに前記投影部から投影可能な画像データが添付されていることを前記所定条件の一つとする
ことを特徴とする請求項１に記載の画像投影装置。
【請求項３】
前記内容解析手段は、前記電子メールのヘッダ部分又は本文部分に所定情報が含まれていることを前記所定条件の一つとする
ことを特徴とする請求項１又は請求項２に記載の画像投影装置。
【請求項４】
前記所定情報は、予め記憶手段に記憶したメールアドレス、件名情報、本文及びバウンダリ情報のうち少なくともいずれか一つである
ことを特徴とする請求項３に記載の画像投影装置。
【請求項５】
前記内容解析手段は、前記受信手段により受信した電子メールの内容を解析し、当該電子メールが第２の所定条件を満たすか否かを判定し、
前記第２の所定条件を満たす電子メールに含まれるメールアドレス、件名情報、本文及びバウンダリ情報のうち少なくともいずれか一つを前記記憶手段に記憶する許可リスト設定手段を備えた
ことを特徴とする請求項４に記載の画像投影装置。
【請求項６】
前記記憶手段に記憶されたメールアドレス、件名情報、本文及びバウンダリ情報のうち少なくともいずれか一つを変更する許可リスト変更手段を備えた
ことを特徴とする請求項５に記載の画像投影装置。
【請求項７】
前記所定情報は、不揮発性記憶手段に予め記憶されたメールアドレス、件名情報、本文及びバウンダリ情報のうち少なくともいずれか一つであって、かつ、前記通信ネットワークを介して接続されたスキャナ装置が送信する電子メールのメールアドレス、件名情報、本文及びバウンダリ情報のうち少なくともいずれか一つである
ことを特徴とする請求項３〜６のいずれか１項に記載の画像投影装置。
【請求項８】
前記割込処理実行手段は、前記電子メールに応じた画像として、前記受信した電子メールに添付された画像データに応じた画像を、前記投影している画像に代えて前記投影部から投影する割込み処理を実行する
ことを特徴とする請求項１〜７のいずれか１項に記載の画像投影装置。
【請求項９】
前記内容解析手段の解析により前記受信した電子メールが所定条件を満たさないと判定されると、前記割込み処理が不可であることを示す画像を前記投影部から投影する
ことを特徴とする請求項１〜８のいずれか１項に記載の画像投影装置。
【請求項１０】
前記割り込み処理の開始を前記割込処理実行手段に指示する操作手段を備え、
前記割込処理実行手段は、
前記割込許可手段によって割り込み処理が許可されると、前記割り込み処理が実行可能である旨を示す画像を前記投影部から投影し、前記操作手段により前記割り込み処理の開始が指示されたとき、前記割り込み処理を実行する
ことを特徴とする請求項１〜９のいずれか１項に記載の画像投影装置。
【発明の詳細な説明】
【技術分野】
【０００１】
本発明は、通信ネットワークを介して画像データを受信し、この画像データに応じた画像を投影する画像投影装置に関するものである。
【背景技術】
【０００２】
従来より、プロジェクタ等の画像投影装置が知られている。かかる画像投影装置は、会議などで利用され、ＰＣ（Personal Computer）のディスプレイ出力を入力して画像を投影するＰＣの周辺装置である。
【０００３】
しかし、この画像投影装置を会議で用いる場合には、画像投影装置で投影する画像の画像データをノート型のＰＣに保存して会議室まで持ち運ばなければならず面倒であった。
【０００４】
そこで、特許文献１に記載されている画像投影装置のように、特定の端末装置から通信ネットワークを介してサーバに送信された画像データを通信ネットワークを介してサーバから受信し、受信した画像データに応じた画像を投影するものが提案されている。
【０００５】
しかし、上記従来の画像投影装置は、常に画像投影装置と対でサーバを用意する必要があり、コストを増大させていた。また、画像投影装置を搬送する際には、同時にサーバをも搬送する必要があり利便性に欠けていた。
【０００６】
そこで、本出願人は、特願２００６−２７０１２９号において、上記の如きサーバを必要とすることなく、通信ネットワークに接続された装置から画像データに関する情報を含む電子メールを受信し、受信した電子メールの解析結果に基づいて、通信ネットワークを介して画像データを取得する画像投影装置を提案している。
【０００７】
ところで、会議を行うにあたり、会議内容を事前に把握するために、会議前に事前に会議資料を配布することが多く、例えば、画像投影装置で投影する画像データを電子メール等に添付して会議参加予定者に対して個別に送信する作業が行われている。
【０００８】
しかし、会議参加予定者が多人数である場合には、会議の発表者が画像データを個別に送信する作業が煩雑となる。
【０００９】
そこで、本出願人は、特願２００７−０６９３１４号において、上記の如きサーバを必要とすることなく、通信ネットワークを介して取得した画像データを会議参加予定者に配布可能とした画像投影装置を提案している。
【特許文献１】特開２００４−１３６３２号公報
【発明の開示】
【発明が解決しようとする課題】
【００１０】
上述の画像投影装置においては、電子メールを用いて会議用の画像データを事前に取得して蓄積することで、会議の参加者は、蓄積した画像データを画像投影装置で投影して会議を進行することができる。しかし、会議の進行によっては、事前に蓄積した画像データとは別の画像データを投影しなければならない事態が生じることがある。
【００１１】
このような場合、例えば、会議参加者のＰＣ（Personal Computer）からＵＳＢメモリなどの記憶媒体に別途投影が必要となった画像データを記憶させ、この記憶媒体を介して画像投影装置に画像データを取り込んだ後、この画像データを投影対象として選択する作業等が必要となり、スムーズに会議を進行させることができないことが多い。
【００１２】
そこで、本発明は、かかる課題を解決するために、急に投影させなければならなくなった画像データを通信ネットワークを介して取得して迅速に投影することができる画像投影装置を提供することを目的とする。
【課題を解決するための手段】
【００１３】
請求項１に記載の発明は、画像データに応じた画像を投影する投影部を有する画像投影装置において、通信ネットワークを介して電子メールを受信する受信手段と、前記受信手段により受信した電子メールの内容を解析し、当該電子メールが所定条件を満たすか否かを判定する内容解析手段と、前記投影部において前記画像を投影している状態で、前記内容解析手段の解析により前記受信した電子メールが前記所定条件を満たすと判定されると、当該電子メールに応じた画像を前記投影している画像に代えて前記投影部から投影する割り込み処理を許可する割込許可手段と、前記許可された割り込み処理を実行する割込処理実行手段とを備えたことを特徴とする。
【００１４】
請求項２に記載の発明は、請求項１に記載の発明において、前記内容解析手段は、前記受信した電子メールに前記投影部から投影可能な画像データが添付されていることを前記所定条件の一つとすることを特徴とする。
【００１５】
請求項３に記載の発明は、請求項１又は請求項２に記載の発明において、前記内容解析手段は、前記電子メールのヘッダ部分又は本文部分に所定情報が含まれていることを前記所定条件の一つとすることを特徴とする。
【００１６】
請求項４に記載の発明は、請求項３に記載の発明において、前記所定情報は、予め記憶手段に記憶したメールアドレス、件名情報、本文及びバウンダリ情報のうち少なくともいずれか一つであることを特徴とする。
【００１７】
請求項５に記載の発明は、請求項４に記載の発明において、前記内容解析手段は、前記受信手段により受信した電子メールの内容を解析し、当該電子メールが第２の所定条件を満たすか否かを判定し、前記第２の所定条件を満たす電子メールに含まれるメールアドレス、件名情報、本文及びバウンダリ情報のうち少なくともいずれか一つを前記記憶手段に記憶する許可リスト設定手段を備えたことを特徴とする。
【００１８】
請求項６に記載の発明は、請求項５に記載の発明において、前記記憶手段に記憶されたメールアドレス、件名情報、本文及びバウンダリ情報のうち少なくともいずれか一つを変更する許可リスト変更手段を備えたことを特徴とする。
【００１９】
請求項７に記載の発明は、請求項３〜６のいずれか１項に記載の発明において、前記所定情報は、不揮発性記憶手段に予め記憶されたメールアドレス、件名情報、本文及びバウンダリ情報のうち少なくともいずれか一つであって、かつ、前記通信ネットワークを介して接続されたスキャナ装置が送信する電子メールのメールアドレス、件名情報、本文及びバウンダリ情報のうち少なくともいずれか一つであることを特徴とする。
【００２０】
請求項８に記載の発明は、請求項１〜７のいずれか１項に記載の発明において、前記割込許手段は、前記電子メールに応じた画像として、前記受信した電子メールに添付された画像データに応じた画像を、前記投影している画像に代えて前記投影部から投影する割込み処理を許可することを特徴とする。
【００２１】
請求項９に記載の発明は、請求項１〜８のいずれか１項に記載の発明において、前記内容解析手段の解析により前記受信した電子メールが所定条件を満たさないと判定されると、前記割込み処理が不可であることを示す画像を前記投影部から投影することを特徴とする。
【００２２】
請求項１０に記載の発明は、請求項１〜９のいずれか１項に記載の発明において、前記割り込み処理の開始を前記割込処理実行手段に指示する操作手段を備え、前記割込処理実行手段は、前記割込許可手段によって割り込み処理が許可されると、前記割り込み処理が実行可能である旨を示す画像を前記投影部から投影し、前記操作手段により前記割り込み処理の開始が指示されたとき、前記割り込み処理を実行することを特徴とする。
【発明の効果】
【００２３】
請求項１に記載の発明によれば、画像を投影中に、所定条件を満たす電子メールがあるときには、この電子メールに応じた画像を現在投影中の画像に代えて投影する割り込み処理を許可するので、急に投影させなければならなくなった画像データを通信ネットワークを介して取得して迅速に投影することができる画像投影装置を提供することができる。
【００２４】
請求項２に記載の発明によれば、投影部から投影可能な画像データが受信した電子メールに添付されていることを前記所定条件の一つとするので、割り込み処理の許可判断を容易に行うことができる。
【００２５】
請求項３に記載の発明によれば、受信した電子メールのヘッダ部分又は本文部分に所定情報が含まれていることを前記所定条件の一つとするとするので、割り込み処理の許可判断を容易に行うことができる。
【００２６】
請求項４に記載の発明によれば、前記所定情報は、予め記憶手段に許可リストとして記憶したメールアドレス、件名情報、本文及びバウンダリ情報のうち少なくともいずれか一つであり、例えば、所定の送信元から送信された電子メールに基づいた画像を投影したり、或いは所定の件名情報が付された電子メールに基づいた画像を投影したりすることができる。従って、例えば、画像投影装置を用いて行っている会議の参加者のみが割り込みを行うための電子メールを送信することができる。また、会議の参加者でなくても、会議名や日付等を電子メールの件名とすることにより、割り込みのメールを行うことが可能となる。
【００２７】
請求項５に記載の発明によれば、許可リストに記憶するメールアドレス、件名情報、本文及びバウンダリ情報のうち少なくともいずれか一つの情報を、第２の所定条件を満たす電子メールから取得するので、割り込みを許可するための設定を容易に行うことができる。例えば、本文に割り込みを許可するメールアドレスを含む電子メールを第２の所定条件を満たすように作成して送信するだけで、割り込みを許可するための設定を容易に行うことができる。
【００２８】
請求項６に記載の発明によれば、許可リストを変更することができるので、例えば、会議中に、更に追加の会議参加者があったときなどであっても、この追加の会議参加者からの電子メールに応じた画像を割り込ませることができる。
【００２９】
請求項７に記載の発明によれば、通信ネットワークを介して接続された所定のスキャナ装置からの電子メールに応じた画像を割り込ませることができるので、例えば、所定のスキャナ装置を画像投影装置と共に会議室に設置することで、会議中に画像を投影している状態で、スキャナ装置で読み込んだ画像を割り込ませることが可能となる。
【００３０】
請求項８に記載の発明によれば、電子メールに添付された画像データに応じた画像を、前記投影している画像に代えて投影部から投影する割込み処理を実行するので、例えば、会議中に投影したい画像データを添付した電子メールを送信するだけで、その画像データに応じた画像を割り込んで投影することができる。
【００３１】
請求項９に記載の発明によれば、受信した電子メールが所定条件を満たさないと判定されると、割込み処理が不可の画像を投影するので、投影中の画像に割り込みを行うための電子メールを送ったのにもかかわらず、割り込みが行われないときにその原因を把握することが可能となる。
【００３２】
請求項１０に記載の発明によれば、いきなり割り込み処理を行わずに、利用者の操作によって割り込み処理を開始することができるので、投影中の画像が突然切り替わってしまうという状態を回避することができる。
【発明を実施するための最良の形態】
【００３３】
[１．画像投影装置を備えた画像投影システムの概要]
以下に、本発明の実施の形態の画像投影システムついて図面を参照しながら説明する。図１は、本発明の実施形態に係る画像投影装置１を備えた画像投影システムＫの構成を示している。
【００３４】
画像投影システムＫは、プロジェクタ等で代表される画像投影装置１と、他の装置としての複数のＰＣ３〜ＰＣ６と、メールサーバ７と、ファイルサーバ８とを備えており、これらの装置は、ＬＡＮ（Local Area Network）等の通信ネットワーク２を介して通信可能に接続される。他の装置としては、ＰＣ（Personal Computer）やＰＤＡ（Personal Digital Assistants）等があるが、ここではＰＣとしている。なお、画像投影システムＫが備えるＰＣの台数は、ＰＣ３〜ＰＣ６の４台に限られず、４台よりも少なくても多くても良い。
【００３５】
ここで、画像投影装置１、ＰＣ３〜ＰＣ６、メールサーバ７、ファイルサーバ８、スキャナ装置９には、同一サブネットの固有のＩＰアドレスがそれぞれ割り当てられており、このＩＰアドレスを用いて装置間での通信を行う。
【００３６】
画像投影装置１には、クライアント用の電子メールプログラムが格納されており、画像投影装置１は、このプログラムを実行することによって、通信ネットワーク２に接続されたメールサーバ７から電子メールの送受信を行う。
【００３７】
さらに、画像投影装置１は、上述のプログラムを実行することによって、メールサーバ７から受信した電子メールの内容を解析し、その結果に基づいて、ＰＣ３〜ＰＣ６もしくはファイルサーバ８のいずれかに格納された画像データを通信ネットワーク２を介して取得し、取得した画像データを通信ネットワーク２を介して電子メール等により送信するように構成されている。また、画像投影装置１は、取得した画像データに基づいた画像をスクリーンＳに投影するように構成されている。
【００３８】
また、上述のように取得した画像データに基づいた画像をスクリーンＳに投影している状態において、メールサーバ７から電子メールを受信すると、画像投影装置１は、受信した電子メールの内容を解析し、その結果に基づいて、当該電子メールに応じた画像を投影する割り込み処理を行うように構成される。
【００３９】
ここで、静止画ファイル（例：ＪＰＥＧ）、動画ファイル（例：ＭＰＥＧ）などの通常の画像ファイルだけでなく、文書作成ソフトやプレゼンテーションソフト、ＣＡＤソフト等、アプリケーションソフトの実行によって画面表示が可能なデータファイル等も含めて画像データと定義し、言い換えれば、画像投影装置１によって投影表示が可能なデータという意味で画像データとしている。
【００４０】
また、ＰＣ３〜ＰＣ６やスキャナ装置９には、汎用の電子メールプログラムが格納されており、ＰＣ３〜ＰＣ６は、このプログラムを実行することによって、通信ネットワーク２に接続されたメールサーバ７から電子メールの送受信を行う。
【００４１】
また、スキャナ装置９は、紙などに描画された画像を読み込んで画像データに変換するスキャナ機能を有し、読み込んだ画像データを電子メールに添付して送信する機能を有している。
【００４２】
[２．画像投影装置１の基本的動作の概要]
以下、実際に画像投影装置１を利用して会議を開催する場合を例にとって、会議の際の利便性を向上させる基本的な動作の概要を具体的に説明する。
【００４３】
［２．１．画像投影装置１における会議開催前の動作について］
まず、会議開催前までの動作について図２を参照して説明する。図２は、図１に示した画像投影システムＫに備えられた画像投影装置１における会議開催前までの基本的な動作の一例（手順（１）〜手順（９））を説明するための図である。
【００４４】
この画像投影システムＫにおいて、ＰＣ３は会議を開催しようとする者（以下、「会議開催者」とする。）の端末装置、ＰＣ４及びＰＣ５は会議へ招集すべき者の端末装置とする。なお、会議へ招集すべき者（以下、会議への参加対象者とも言う。）とは、会議へ参加する資格を有するが、未だ会議へ参加するか否か確定していない状態の者を意味し、会議への参加対象者には、会議開催者自身も含まれる場合があるものとする。なお、ここでの画像データは、例えば、会議での発表用の資料として用いられるものであるとする。
【００４５】
まず、図２の手順（１）に示すように、会議開催者は、ＰＣ３を操作することにより、会議への参加対象者に対して会議開催を案内するための電子メールである会議案内メールをＰＣ３から画像投影装置１のメールアドレスに対して送信する。この会議案内メールには、開催する会議の開催日や会議の名称等の会議案内情報と、会議への参加対象者のメールアドレス等の複数の宛先情報とが含まれる。
【００４６】
次に、図２の手順（２）に示すように、画像投影装置１は、メールサーバ７に定期的にアクセスを行い、通信ネットワーク２を介してメールサーバ７から会議案内メールの受信を行う。画像投影装置１は、例えば、受信した電子メールのタイトル名が所定のタイトル名（以下、「件名情報」と呼ぶ。）である場合に、受信した電子メールが会議案内メールであると判定する。
【００４７】
受信した電子メールが会議案内メールであると判定すると、画像投影装置１は、会議案内メールに含まれる会議案内情報に応じて、会議への参加対象者に対して会議案内情報を通知するための会議召集メールを作成する。この会議召集メールには、会議案内メールに含まれる会議案内情報等に後述する所定の情報が付加されて作成される。
【００４８】
次に、図２の手順（３）に示すように、画像投影装置１は、会議召集メールを作成すると、会議案内メールから会議への参加対象者のメールアドレスを抽出し、このように抽出したメールアドレスを宛先として会議召集メールをそれぞれ送信する。
【００４９】
次に、図２の手順（４）に示すように、会議への参加対象者は、ＰＣ３〜ＰＣ５を操作することにより、通信ネットワーク２を介してメールサーバ７から画像投影装置１が送信した会議召集メールの受信を行う。会議への参加対象者は、例えば、受信した電子メールの件名情報が所定の件名情報である場合、受信した電子メールが会議召集メールであると判別することができる。
【００５０】
次に、図２の手順（５）に示すように、会議への参加対象者は、会議召集メールを受信すると、会議案内情報等を確認した上で、会議召集メールに対して返信される電子メールとしての返信メールを作成し、この返信メールをそれぞれＰＣ３〜ＰＣ５を操作することにより画像投影装置１のメールアドレスに対して送信する。この返信メールには、会議への参加対象者が当該会議へ出席するか否かの出欠情報、画像データの格納位置を特定するため情報である格納位置特定情報、画像データの格納位置にアクセスするためのパスワード情報、画像データを送信（配布）する送信時期（以下、「画像データ送信時期」とする。）の情報が含まれる。このとき、送信される返信メールに画像データが添付されるようにしても良い。
【００５１】
次に、図２の手順（６）に示すように、画像投影装置１は、メールサーバ７に定期的にアクセスを行い、通信ネットワーク２を介してメールサーバ７から返信メールの受信を行う。なお、画像投影装置１は、例えば、受信した電子メールの件名情報が所定の件名情報である場合に、受信した電子メールが返信メールであると判定する。
【００５２】
次に、図２の手順（７）に示すように、受信した電子メールが返信メールであると判定すると、画像投影装置１は、この返信メールの内容を解析し、その解析結果に基づいて通信ネットワーク２を介して画像データを取得する。すなわち、画像投影装置１は、返信メールに、格納位置特定情報、ファイル名の情報、及びパスワード情報などの画像データ取得情報があると判定すると、これらの情報に基づいて、通信ネットワーク２に接続された端末装置（ここでは、ＰＣ３及びＰＣ４）から画像データを取得するのである。なお、返信メールに画像データが添付されている場合には、画像投影装置１は、返信メールに添付された画像データを取得する。
【００５３】
次に、図２の手順（８）に示すように、画像データを取得すると、画像投影装置１は、例えば、出欠情報が出席である等の所定の情報が含まれている返信メールの送信元（ここでは、ＰＣ３及びＰＣ４であるとする。）を画像データの送信先として抽出し、取得した画像データを電子メールに添付した上で通信ネットワーク２を介して送信する。なお、画像投影装置１は、画像データ自体ではなく、画像データの格納位置情報などの画像データ取得情報を、画像データの送信先に対して送信するようにしてもよい。
【００５４】
このとき、画像投影装置１は、返信メールの内容を解析して、画像データ送信時期の情報を抽出し、画像データ送信時期に、取得した画像データを送信する。画像データ送信時期は、画像データの投影時期を基準とした時期であり、例えば、会議で画像データを投影する場合には、会議の開催前、最中、開催後などの時期などがある。
【００５５】
次に、図２の手順（９）に示すように、会議への参加対象者のうち、画像データの送信先である会議への出席者は、それぞれＰＣ３又はＰＣ４を操作することにより、通信ネットワーク２を介してメールサーバ７から画像投影装置１が送信した画像データを自身宛の電子メールにより受信する。
【００５６】
このように、画像投影装置１において、通信ネットワーク２を介して電子メールを受信し（図２の手順（６）参照）、受信した電子メールの内容を解析し、その解析結果に基づいて、通信ネットワーク２を介して画像データを取得し（図２の手順（７）参照）、取得した画像データを通信ネットワーク２を介して所定の宛先へ送信するので（図２の手順（８）参照）、例えば、会議の際に画像投影装置で投影される画像データを別途ＰＣ間で電子メールによりやり取りする必要がなく、利便性の高い画像投影装置を提供することができる。
【００５７】
［２．２．画像投影装置１における会議開催時の動作について］
まず、会議開催時の動作について図３及び図４を参照して説明する。図３は、図１に示した画像投影システムＫに備えられた画像投影装置１における会議開催時の基本的な動作の一例（手順（１０）〜手順（１８））を説明するための図、図４は会議開催時に投影される画像の一例を示す図である。なお、以下において、「会議参加者」とは、会議開催時において実際に会議に参加している者をいうものとする。
【００５８】
まず、図３の手順（１０）に示すように、会議参加者が画像投影装置１に蓄積した画像データの投影開始を指示することによって、画像投影装置１は、図２の手順（７）で取得した画像データに応じた画像（以下、「通常画像」とする。）の投影を開始する（図３の手順（１１）参照）。ここで、このとき投影される通常画像の一例を図４（ａ）に示す。この図に示すように投影画面全面に通常画像８１が投影される。なお、上述した投影開始の指示は、画像投影装置１の制御パネルＰを操作することによって行うものである。
【００５９】
会議参加者は、このように通常画像を投影することによって会議を進行する。この通常画像は、基本的に複数枚の画像からなり、会議参加者は各画像を順次投影しながら会議を進行することになる。
【００６０】
このように通常画像を投影している状態で、予め画像投影装置１に記憶している画像データに応じた画像以外の画像の投影が必要となることがある。例えば、会議参加者の手元に紙資料としてあるが、画像投影装置１に記憶していない資料である。
【００６１】
本実施形態においては、スキャナ装置９を会議室に配置しておき、このスキャナ装置９で投影が必要な紙資料を取り込んで、画像投影装置１へ電子メールで送信するようにしている（図３の手順（１２）参照）。すなわち、スキャナ装置９には、スキャナ機能で読み込んだ画像を画像データ化し、この画像データを添付した電子メール（以下、「画像割り込みメール」とする。）を、予め設定されている画像投影装置１のメールアドレス宛に送信する機能を有しており、会議の参加者は、このスキャナ装置９で必要な資料を読み込ませて画像投影装置１へ送信する。
【００６２】
次に、画像投影装置１は、メールサーバ７に定期的にアクセスを行って、図３の手順（１３）に示すように、通信ネットワーク２を介してメールサーバ７から画像割り込みメールの受信を行う。画像投影装置１は、例えば、受信した電子メールの送信元メールアドレスが所定のメールアドレスであり、かつ画像データが添付されている場合に、受信した電子メールが画像割り込みメールであると判定する。
【００６３】
受信した電子メールが画像割り込みメールであると判定すると、図３の手順（１４）に示すように、画像投影装置１は、割り込み処理が実行可能である旨を示す画像（以下、「割り込み通知画像」とする。）を投影する。この割り込み通知画像は、投影している通常画像の一部に代えて表示するものであり、例えば、スーパーインポーズと呼ばれる形式で表示する。図４（ｂ）に、通常画像の一部に割り込み通知画像が投影された一例を示す。この図に示すように、通常画像８１の下方に割り込み通知画像８２が投影される。
【００６４】
その後、図３の手順（１５）に示すように、このように割り込み通知画像が投影されている状態で、画像投影装置１は、受信した電子メールに添付された画像データに応じた画像（以下、「割り込み画像」とする。）を投影するための操作が行われたか否かを判定する。例えば、画像投影装置１は、会議参加者が画像投影装置１の制御パネルＰの所定ボタンを操作したときに、割り込み画像を投影するための操作が行われたと判定する。
【００６５】
割り込み通知画像を投影するために会議参加者が画像投影装置１の制御パネルＰの所定ボタンを操作したと判定すると、図３の手順（１６）に示すように、画像投影装置１は、図３の手順（１３）で受信した画像割り込みメールに添付されていた画像データに応じた画像を投影する。図４（ｃ）に、割り込み画像の一例を示す。この図に示すように、割り込み通知画像８２が投影画面全面に投影される。
【００６６】
その後、図３の手順（１７）に示すように、割り込み画像の投影中止のために、会議参加者が画像投影装置１の制御パネルＰの所定ボタンを操作したか否かが画像投影装置１によって判定される。
【００６７】
割り込み画像の投影中止のため操作が行われたと判定すると、画像投影装置１は、図３の手順（１８）に示すように、割り込み画像を投影する前に投影していた通常画像の投影を再開する。
【００６８】
このように、画像投影装置１において、通信ネットワーク２を介して取得した画像データに応じた画像を投影している状態で（図３の手順（１１）参照）、通信ネットワーク２を介して電子メールを受信し（図３の手順（１３）参照）、受信した電子メールの内容を解析し、その解析結果に基づいて、この電子メールに添付された画像データに応じた画像を、投影している画像に代えて投影する割り込み処理が可能である旨を投影し（図３の手順（１４）参照）、会議参加者の操作に応じて、割り込み処理を行う（図３の手順（１６）参照）ようにしている。従って、例えば、会議中に急に投影させなければならなくなった画像データを通信ネットワークを介して取得して迅速に投影することができる画像投影装置を提供することができる。
【００６９】
上述においては、受信した電子メールが画像割り込みメールであるか否かを判定するための条件を、その電子メールの送信元のメールアドレス及び画像データの添付があるか否かによって判定することとしたが、電子メールの件名情報（タイトル名）、本文、バウンダリ情報に記載の内容などを条件とすることもできる。
【００７０】
また、上述においては、スキャナ装置９からの画像割り込みメールについて説明したが、会議参加者のＰＣ３〜ＰＣ５がモバイル型のパーソナルコンピュータであり、各会議参加者が会議にＰＣ３〜ＰＣ５を持参している場合には、これらのＰＣ３〜ＰＣ５から画像割り込みメールを送信するようにしてもよい。
【００７１】
この場合、例えば、会議案内メールから抽出した会議への参加対象者のメールアドレス（図２の手順（３）参照）を送信元とする電子メールを、受信した電子メールが画像割り込みメールであるか否かを判定するための条件とすることができる。なお、会議参加予定者と実際に会議に参加する参加者とが異なることがあり、参加対象者のメールアドレスを送信元であるとすることだけでは不都合を生じることがある。そこで、画像投影装置１は会議参加者の操作によって、画像割り込みメールであるか否かを判定するための条件を設定することができるようにしている。例えば、会議参加予定者の代理として会議に参加する会議参加者のメールアドレスをその条件に設定することができる。
【００７２】
［３．画像投影装置１の具体的な構成及び動作について］
以下、画像投影装置１の構成及び動作について具体的に説明する。
【００７３】
[３．１．画像投影装置の構成について]
画像投影装置１の構成について説明する。図５は、画像投影装置１の内部構成を示すブロック図、図６は、会議案内メールの一例を示す図、図７は、会議召集メールの一例を示す図、図８は、会議召集メールに対する返信メールの一例を示す図、図９は画像割り込みメールの一例を示す図、図１０は画像割り込み許可リストの一例である。
【００７４】
図５に示すように、画像投影装置１は、外部から画像データや映像信号等の情報を入力する入力部１０と、メールサーバ７から入力部１０を介して受信した電子メールについて各種の処理を行うメール処理部２０と、画像データや映像信号に対して各種の処理を行う画像処理部３０と、各種の画像を投影するための投影部４０と、利用者が画像投影装置１の動作を操作するための制御パネルＰと、入力部１０を介して取得した各種の画像データやその他の情報を記憶するためのＨＤＤ（Hard Disc Drive）６０（不揮発性記憶手段の一例に相当）と、画像投影装置１全体を制御する制御部５０とを備えている。
【００７５】
入力部１０は、画像投影装置１を通信ネットワーク２に接続するためのＬＡＮインターフェースなどのインターフェース１２と、画像投影装置１外から入力された映像信号をデジタル化して画像処理部３０に入力する映像信号入力手段１４とを備えている。
【００７６】
メール処理部２０は、制御部５０による制御に基づいて、インターフェース１２を介してメールサーバ７から電子メールを送受信する機能を有している。メール処理部２０は、制御部５０による制御に基づいて、例えば、通信ネットワーク２に接続されたＰＣ３より送信された画像データ取得情報を含む電子メールをメールサーバ７からインターフェース１２を介して受信する。
【００７７】
電子メールに含まれる画像データ取得情報には、ファイル名の情報、格納位置特定情報、及びパスワード情報等が含まれるが、これらの情報は、画像データを格納している装置へ通信ネットワーク２を介してアクセスするために必要なアクセス情報にも相当する。
【００７８】
また、メール処理部２０は、受信した電子メールの内容を解析する機能を有している。メール処理部２０は、画像データ取得情報を含む電子メールを受信すると、制御部５０による制御に基づいて、この電子メールの内容を解析して、電子メールから画像データ取得情報等の各種の情報を抽出するようになっている。
【００７９】
画像処理部３０は、インターフェース１２を介して取得した画像データや映像信号入力手段１４に入力された映像信号を、投影部４０で投影処理可能な画像信号へ変換する画像処理回路３２と、画像処理回路３２によって変換された画像信号を所定の領域に一時的に記憶すると共に画像処理回路３２によりアクセスされる、例えば、ＶＲＡＭ（Video Random Access Memory）等で構成される映像記憶メモリ３４とを備えている。
【００８０】
投影部４０は、光源としてのランプ４１と、照明光学系４２と、光変調素子４３と、結像光学系４４と、光変調素子ドライブ回路４５と、ランプ駆動回路４６とを有する。
【００８１】
ランプ４１は、制御部５０によって制御されたランプ駆動回路４６から出力される信号に基づいて、点灯駆動されて発光する。ランプ４１で発光された光は、図示しないカラーフィルタを通し、照明光学系４２によって照明光として、透過型液晶パネルなどの光変調素子４３に照射される。
【００８２】
光変調素子４３は、光変調素子ドライブ回路４５によって駆動され、その表示面に映像を表示する。このように表示された映像は、照明光学系４２からの照明光によって、光として光変調素子４３から出射される。続いて、この出射光は、結像光学系４４及び画像投影装置１の図示しない筐体の開口を通って、スクリーンＳに投影される。
【００８３】
制御パネルＰは、利用者が操作可能となるように、画像投影装置１の図示しない所定の箇所に設けられており、利用者がこの制御パネルＰを操作することによって、制御部５０の種々の作動制御や作動停止制御などを行う。
【００８４】
この制御パネルＰは、例えば、利用者が所望の画像データを選択するための図示しない画像データ選択ボタンなどの各種ボタンを有している。
【００８５】
ＨＤＤ６０は、所定の記憶容量を有し、インターフェース１２を介して取得した画像データなどを記憶する不揮発性の記憶部である。
【００８６】
制御部５０は、中央制御部であるＣＰＵ（Central Processing Unit）５２と、ＣＰＵ５２が実行する各種プログラム及びデータを格納したＲＯＭ（Read Only Memory）５４と、ＣＰＵ５２の実行対象となるプログラムによる演算データなどを一時的に格納するＲＡＭ（Random Access Memory）５６とを備えおり、画像投影装置１全体を制御する機能を有している。ここで、ＲＯＭ５４は書き換え可能な不揮発性メモリ（例えば、フラッシュメモリ）から構成される。
【００８７】
この制御部５０においては、ＣＰＵ５２がＲＯＭ５４に格納した電子メール受信用プログラム、電子メール解析用プログラム、画像データ取得用プログラム、画像データ保存用プログラム、電子メール送信用プログラム等の各種の電子メールプログラムを読み出して実行することにより、画像投影装置１全体を統括制御し、かつ、受信手段、内容解析手段、画像データ取得手段、画像データ保存手段、送信手段、割込許可手段、割込処理実行手段、許可リスト設定手段及び許可リスト変更手段等として機能する。
【００８８】
（受信手段について）
受信手段は、メールサーバ７に定期的にアクセスを行っており、通信ネットワーク２を介して電子メールを受信する（図２の手順（２）及び手順（６）参照）。すなわち、受信手段は、メール処理部２０を制御して、メールサーバ７からインターフェース１２を介して電子メールを受信し、ＲＡＭ５６に記憶するものである。このとき制御部５０、インターフェース１２、及びメール処理部２０等を含めて受信手段と呼ぶことがあるものとする。ここでは、メール処理部２０は、メールサーバ７との通信を、ＩＭＡＰ（Internet Message Access Protocol）を用いることによって行うものとする。ここで、受信手段が受信する電子メールには、上述した通り、会議の開催者の端末装置から送信される会議案内メール、及び、会議への参加対象者の端末装置から送信される返信メール等が含まれる。なお、会議案内メール、会議召集メール、及び返信メールは、汎用の電子メールと同様に、ヘッダと、本文とから構成されるものである。
【００８９】
（内容解析手段について）
内容解析手段は、メール処理部２０を制御して、受信手段により受信されてＲＡＭ５６に記憶された電子メールの内容を解析する（図２に示す手順（２）及び手順（６）参照）。すなわち、内容解析手段は、ＲＡＭ５６に記憶された電子メールの情報を読み出して、この電子メールの内容を所定の解析テーブルに従って解析し、その内容を解析結果として抽出しＲＡＭ５６に記憶する。このとき、制御部５０及びメール処理部２０等を含めて内容解析手段として呼ぶことが有るものとする。
【００９０】
ここで、ＲＡＭ５６に受信手段により受信された電子メールの情報があるときに、内容解析手段は、ＲＡＭ５６から電子メールの情報を読み出して、この電子メールに所定の情報が記入されているか否かにより、電子メールが会議案内メールであるか否かを判定する。例えば、図６に示す電子メールが受信手段により受信されたときに、電子メールのヘッダにおける「Subject」欄に、「Meeting」が件名情報として記入されている場合に、内容解析手段は、電子メールが会議案内メールであると判定する。
【００９１】
受信した電子メールが会議案内メール（図６参照）であると判定すると、内容解析手段は、会議案内メールを会議案内メール用の解析テーブルに従って解析し、会議案内メールに含まれる会議案内情報を抽出しＲＡＭ５６に記憶する。例えば、電子メールが図６に示す会議案内メールである場合には、内容解析手段は、会議案内メールの本文に記載されている情報を、各行を上から順番にそれぞれ、会議の名称、会議開催日、会議開始時間、会議終了時間、返信メールの締め切り日時、会議への参加対象者及びその宛先であると解析して会議案内メールから抽出しＲＡＭ５６に記憶する。
【００９２】
また、内容解析手段は、ＲＡＭ５６から会議案内情報を読み出して、この会議案内情報に基づいて、会議召集メールを作成する（図２に示す手順（２）参照）。ここで、会議召集メールは、会議案内情報に対してインデックスが付加されることにより作成される。例えば、図６に示す会議案内メールの会議案内情報から図７に示す会議召集メールが作成される場合には、会議の名称として「新製品販売について」が記入されていると、この記載に応じて「新製品販売について」の文頭にインデックスとして「ミーティング名：」が付加される。このように、会議案内情報に対してインデックスが付加されるので、会議召集メールの内容を一見して把握することが容易となる。なお、会議案内情報に対して会議案内情報以外の他の情報を新たに付加しても良い。例えば、図７に示す会議召集メールにおいては、画像投影装置１が設置されている会議の開催場所が「開催場所：第１会議室」として、また、ある会議を他の会議と識別するための識別情報が「ミーティングID:1234」として新たに付加されている。
【００９３】
また、受信手段により受信した電子メールが、会議案内メールではないときには、当該電子メールが返信メール（図８参照）であるか否かを判定する（図２の手順（６）参照）。例えば、会議召集メールの件名情報「会議召集メール」に対して文頭に「Re:」が付加された「Re:会議召集メール」が返信メールのヘッダに記載されているときや、返信メールの本文における引用符「＞」以降に会議召集メールの本文が複写されているときに、内容解析手段は、電子メールが返信メールであると判定する。
【００９４】
ここで、受信した電子メールが返信メールであると判定すると、内容解析手段は、返信メールを返信メール用の解析テーブルに従って解析し、返信メールに含まれる各種情報を解析結果として抽出しＲＡＭ５６に記憶する。例えば、電子メールが図８に示す返信メールである場合には、内容解析手段は、返信メールの本文に記載されている情報を、各行を上から順番に、それぞれ、会議への参加対象者の出欠情報、格納位置特定情報、画像データのファイル名の情報、パスワード情報、画像データ送信時期の情報等の各種情報であると解析して返信メールから抽出しＲＡＭ５６に記憶する。
【００９５】
また、内容解析手段は、後述する送信手段により画像データを通信ネットワーク２を介して送信するための画像データの送信先を決定しＲＡＭ５６に記憶する。このために、内容解析手段は、ＲＡＭ５６から返信メールに含まれる会議への参加対象者の出欠情報を読み出して、当該出欠情報が出席であるか否かを判定する。例えば、図８に示す返信メールの本文において、出席を示す「Yes」が出欠情報として記載されているときに、出欠情報が出席であると判定するのである。
【００９６】
そして、返信メールに含まれる出欠情報が出席であると判定すると、内容解析手段は、この出席の情報が所定の情報として含まれている返信メールの送信元を、画像データの送信先として決定する（図２に示す手順（７）参照）。一方、返信メールに含まれる出欠情報が欠席であると判定すると、内容解析手段は、この欠席の情報が所定の情報として含まれている返信メールの送信元を、画像データの送信先から除外する。例えば、図８に示す返信メールには、出席を示す「Yes」が出欠情報として含まれているので、この返信メールの送信元である「sato@example.com」が画像データの送信先として決定される。このように、会議への参加対象者の中から画像データの送信先を自動的に決定することができるため、例えば、会議の開催者が会議への参加対象者に対して個別に画像データの要否を確認する作業を省略することができ、利便性を向上することができる。
【００９７】
また、受信手段により受信した電子メールが、会議案内メールや返信メールではないときには、当該電子メールが画像割り込みメール（図９参照）であるか否かを判定する（図３の手順（１３）参照）。画像割り込みメールであるか否かの判定は、所定条件を満たすか否かによって行われる。具体的には、不揮発性記憶装置であるＨＤＤ６０にそれぞれ記憶した画像割り込み許可リスト（許可リストの一例に相当）に基づいて行われる。すなわち、受信手段により受信した電子メールが、当該画像割り込み許可リストに記載された所定条件を満たすときに、画像割り込みメールであると判定する。なお、画像割り込み許可リストをＨＤＤ６０に代えて、ＲＯＭ５４やＲＡＭ５６に記憶することができる。このとき、ＲＯＭ５４には変更することがない条件の情報（ここでは、例えば、スキャナ装置９のメールアドレスとする。）を記憶し、ＲＡＭ５６には追加や変更を行う条件の情報を記憶する。
【００９８】
図１０に画像割り込み許可リストの一例を示す。この図に示す画像割り込み許可リストには、電子メールのヘッダ部分に含まれる、件名情報（Subject）、送信元メールアドレス（From）、バウンダリ情報（Content-Type）についての条件、電子メールの本文内容について条件が記載されている。内容解析手段は、これらのいずれかの条件を満たす電子メールを受信したとき、当該電子メールを画像割り込みメールであると判定する。例えば、受信した電子メールの件名情報に、「Internet Fax Job」が含まれているとき、当該電子メールを画像割り込みメールであると判定する。なお、本文に「Image data in PDF format has been attached」や「Scan data has been attached」などが含まれていない場合であっても、内容解析手段は、電子メールに画像データが添付されている電子メールであるときには、当該電子メールを画像割り込みメールであると判定する。
【００９９】
本実施形態においては、スキャナ装置９は、所定のメールアドレスを有しており、このメールアドレスを送信元として、所定の件名情報、本文及びバウンダリ情報を含む電子メールを画像投影装置１へ送信するように設定されており、本実施形態の画像投影装置１においては、スキャナ装置９から送信される電子メールを画像割り込みメールとして識別するために、スキャナ装置９が送信する電子メールの送信元メールアドレス、件名情報、本文及びバウンダリ情報のうち少なくともいずれか一つの情報を画像割り込み許可リストに記憶するようにしている。
【０１００】
なお、送信元メールアドレス、件名情報、本文及びバウンダリ情報のうち少なくともいずれか一つの情報を所定条件とするのではなく、これらの条件のうち２以上の情報を所定条件にするようにしてもよい。このようにすることで、画像割り込みメールの判定をより厳格に行うことができ、画像割り込みメールではない電子メールを誤って画像割り込みメールであると判定する可能性を低減することができる。
【０１０１】
また、画像割り込みメールであるか否かの判定を、画像割り込み許可リストに基づいて行うことに加えて、受信手段で受信した電子メールに画像データが添付されていることを条件とするようにしてもよい。また、画像割り込み許可リストを用いずに、通常画像を投影していることを条件として、単に受信手段で受信した電子メールに画像データが添付されているときに画像割り込みメールであると判定するようにしてもよい。
【０１０２】
ここで、受信した電子メールが画像割り込みメールであると判定すると、内容解析手段は、当該画像割り込みメールの件名情報、送信元メールアドレス、バウンダリ情報、本文及び添付された画像データを抽出しＨＤＤ６０に記憶する。
【０１０３】
（画像データ取得手段について）
画像データ取得手段は、内容解析手段による解析結果に基づいて、通信ネットワーク２を介して画像データを取得する（図２に示す手順（７）参照）。すなわち、画像データ取得手段は、ＲＡＭ５６から返信メールに含まれる格納位置特定情報を読み出して、この格納位置特定情報に基づいて画像データを取得する。格納位置特定情報には、画像データが格納されている位置（ここでは、装置の位置及び装置内の格納位置とする。）が含まれる。例えば、図８に示す返信メールでは、「\\PC4\share」が格納位置特定情報として含まれており、通信ネットワーク２に接続された「PC4」が有する共有フォルダ「share」にアクセスして、画像データ取得手段は、「販売について.ppt」なるファイル名の画像データを取得する。これにより、返信メールにより通信ネットワーク２に接続された端末装置に格納された画像データを任意に指定すれば、指定された画像データを自動的に取得することが可能となり、利便性を向上することができる。
【０１０４】
また、画像データ取得手段は、ＲＡＭ５６に返信メールから抽出したパスワード情報が有るときに、このパスワード情報を画像データを取得するための要求信号（以下、取得要求信号ともいう）に設定した後に、この取得要求信号を通信ネットワーク２へ送信する。パスワード情報が設定された取得要求信号により、画像データが格納されている位置にパスワードが設定されてアクセスが制限されている場合であっても、画像データ取得手段は、このパスワードを解除して画像データを取得することができる。例えば、図８に示すように、返信メールに「4321」がパスワード情報として含まれおり、共有フォルダ「share」にパスワードが設定されている場合には、画像データ取得手段は、パスワード情報「4321」が設定された取得要求信号により、共有フォルダ「share」のパスワードを解除して、「販売について.ppt」なるファイル名の画像データを取得することができる。このように、返信メールにより容易にパスワードを解除できるので、利便性を向上することができる。
【０１０５】
（送信手段について）
送信手段は、画像データ取得手段により取得した画像データを通信ネットワーク２を介して画像データの送信先へ送信する（図２に示す手順（８）参照）。すなわち、送信手段は、上述した内容解析手段により決定した画像データの送信先へ、取得した画像データを電子メールに添付して送信する。
【０１０６】
上述した通り、画像データの送信先は、会議への参加対象者のうち出席情報を含む返信メールの送信元、すなわち、会議への出席者であり、欠席情報を含む返信メールの送信元、すなわち、会議への欠席者が除外されている。従って、会議への欠席者が画像データを必要としない場合に、当該欠席者に対して画像データを送信する無駄を省くことができ、利便性を向上できる。なお、画像データの送信先は、会議への出席者に限られず、必要であれば参加対象者全員でも良いし、逆に会議への欠席者としても良い。また、会議への参加対象者のうち、例えば、一定の役職以上である等の所定の条件を満たす者を予め設定していても良い。
【０１０７】
また、送信手段は、内容解析手段によって返信メールから抽出した画像データ送信時期に画像データ取得手段により取得した画像データを通信ネットワーク２を介して送信する（図２に示す手順（８）参照）。すなわち、送信手段は、ＲＡＭ５６から返信メールに含まれる画像データ送信時期の情報を読み出して、画像データ送信時期が会議の開催前、会議の最中、会議の開催後のいずれであるかを判定し、それぞれの時期に画像データを送信する。例えば、図８に示す返信メールには、「事後配布」が画像データ送信時期の情報として含まれているので、送信手段は、画像データの送信時期が会議の開催後であると判定し、会議の開催後に画像データを送信するのである。
【０１０８】
ここで、画像データ送信時期となる会議の開催前、最中、開催後などの時期は、会議案内メールに含まれる会議案内情報により特定される。すなわち、送信手段は、画像データを送信するときに、ＲＡＭ５６から会議案内メールに含まれる会議案内情報のうち会議の開始時間及び終了時間の情報を読み出して、これらから会議の開催前、最中、開催後などの時期を特定する。例えば、図８に示す返信メールに含まれる「事後配布」の情報に基づいて会議の開催後に画像データを送信するときに、送信手段は、ＲＡＭ５６に記憶された、図６に示す会議案内メールに含まれる会議の終了時間「E:15:00」の情報を読み出して、会議の開催後が会議の終了時間以降の時期であると特定した上で、かかる時期に画像データを送信するのである。同様に、会議の開催前は会議の開始時間以前の時期であると特定され、会議の最中は会議の開始時間から終了時間に至るまでの間の時期であると特定される。これにより、電子メールにより画像データの送信時期を会議の開催と関連付けて自由に設定することができ、利便性を向上することができる。
【０１０９】
（画像データ保存手段について）
画像データ保存手段は、画像データ取得手段によって取得した画像データの容量が、ＨＤＤ６０の記憶容量の残量を超過しているか否かを判定する。
【０１１０】
画像データの容量が、ＨＤＤ６０の記憶容量の残量を超過していないと判定すると、画像データ保存手段は、取得した画像データをＨＤＤ６０に記憶する。一方、画像データの容量が、ＨＤＤ６０の記憶容量の残量を超過していると判定すると、画像データ保存手段は、取得した画像データを通信ネットワーク２を介して所定の装置に記憶する。この所定の装置は、通信ネットワーク２に接続された装置であれば如何なる装置でもよいが、ここでは、ファイルサーバ８であるとする。このように、画像データの保存先としてＨＤＤ６０に加えてファイルサーバ８が用意されているので、取得した画像データの容量がＨＤＤ６０の記憶容量を超過したときに、通信ネットワーク２を介してファイルサーバ８へ記憶することにより、ＨＤＤ６０の記憶容量がオーバーしたときであっても、画像データの保存を行うことが可能となる。また、会議終了後プロジェクタの電源がオフとされる場合は、ＨＤＤ６０の記憶容量の残量によらず、取得した画像データをファイルサーバ８に記憶するようにしても良い。
【０１１１】
なお、本実施形態においては、画像データ取得手段は、内容解析手段により返信メールから抽出した格納位置特定情報に基づいて画像データを取得するように構成したが、内容解析手段により返信メールに添付された画像データを抽出し、この画像データを取得するように構成しても良い。また、送信手段は、画像データ取得手段により取得した画像データ自体ではなく、この画像データの格納位置特定情報を通信ネットワーク２を介して所定の宛先へ送信するように構成しても良い。
【０１１２】
ＲＡＭ５６は、上述のごとく、メール処理部２０によってメールサーバ７から受信した電子メールを記憶するための機能、この電子メールに含まれる複数の宛先を記憶することを含め、各種フラグやデータを一時的に記憶するための記憶部としての機能等を有するものである。
【０１１３】
（割込許可手段について）
割込許可手段は、投影部４０において画像（例えば、上述した通常画像）を投影している状態で、受信手段によって受信した電子メールが内容解析手段の解析により所定条件を満たすと判定されると、投影している画像に代えて前記所定条件を満たす電子メールに応じた画像を投影部４０から投影する割り込み処理を許可するものである。
【０１１４】
ここで、「所定条件」とは、上述した画像割り込み許可リストに記載された所定条件である。
例えば、図１０に示す画像割り込み許可リストを有している場合には、件名情報「Internet Fax Job」、送信元メールアドレス「MFC460CN-4F＠example.com」などが画像割り込みメールとして判定されるための所定条件である。
【０１１５】
また、「電子メールに応じた画像」とは、電子メールに添付された画像データを意味するものであるが、返信メールと同様に、電子メールに画像データの格納位置特定情報が含まれている場合には、画像データ取得手段によって、格納位置特定情報を読み出して、この格納位置特定情報に基づいて画像データを取得する。この格納位置特定情報には、返信メールと同様に、画像データが格納されている位置（ここでは、装置の位置及び装置内の格納位置とする。）が含まれる。また、電子メールに添付された画像データがなく、格納位置特定情報も含まれていないときであっても、電子メールの本文を投影するようにしてもよい。
【０１１６】
一方、割り込み許可手段は、受信手段で受信した電子メールが内容解析手段の解析により上記所定条件を満たさないと判定されると、割込み処理が不可であることを示す画像（エラー通知画像）を投影部４０から投影する。このエラー通知画像は、例えば、図４（ｂ）に示す通知画像８２と同様の位置に表示される。
【０１１７】
（割込処理実行手段について）
割込処理実行手段は、割込許可手段によって割り込み処理が許可されると、この割り込み処理が実行可能である旨を示す画像を投影部４０から投影し、制御パネルＰ（操作手段の一例に相当）により割り込み処理の開始が指示されたとき、投影している画像に代えて画像割り込みメールに応じた画像を投影部４０から投影する割り込み処理を実行する。
【０１１８】
また、割り込み処理実行手段は、画像割り込みメールに応じた画像を投影部４０から投影している状態で、制御パネルＰにより割り込み処理の終了が指示されたとき、割り込み画像に代えて、割り込み処理前に投影していた画像の投影を再開する。
【０１１９】
（許可リスト設定手段について）
許可リスト設定手段は、所定条件（第２の所定条件）を満たす電子メールに含まれる件名情報、送信元メールアドレス、本文及びバウンダリ情報をＨＤＤ６０（記憶手段の一例に相当）の画像割り込み許可リストに記憶する。なお、上記所定条件を満たす電子メールであるか否かは、内容解析手段によって判断される。
【０１２０】
例えば、上記所定条件を満たす電子メールを会議案内メールとして設定している場合、図６に示す会議案内メールに基づいて、会議召集メール及び返信メールが行われたとき、会議案内メールの本文に含まれる「会議の名称」や「会議への参加対象者のメールアドレス」をＨＤＤ６０の画像割り込み許可リストに記憶する。従って、「新製品販売について」が件名情報に含まれる電子メールや「会議への参加対象者のメールアドレス」が含まれる電子メールは、画像割り込みメールとして判定されることになる。
【０１２１】
また、会議案内メールの本文に、例えば、「Boundary Brother Internet Fax」と記載されているときに、この情報「Boundary Brother Internet Fax」をＨＤＤ６０の画像割り込み許可リストに上記「バウンダリ情報」として記憶する。また、会議案内メールの本文に、例えば、「本文：Image data in PDF format has been attached.」と記載されているときに、この情報「Image data in PDF format has been attached.」をＨＤＤ６０の画像割り込み許可リストに上記「本文」として記憶する。
【０１２２】
このように、上記所定条件を満たす電子メールに含まれる件名情報、送信元メールアドレス、本文及びバウンダリ情報をＨＤＤ６０（記憶手段の一例に相当）の画像割り込み許可リストに記憶するようにしており、これにより、割り込みを許可するための設定を容易に行うことができる。なお、件名情報、送信元メールアドレス、本文及びバウンダリ情報を全て記憶するのではなく、これらのうちいずれか一つ又はいくつかを画像割り込み許可リストに記憶することができればよい。
【０１２３】
（許可リスト変更手段について）
許可リスト変更手段は、ＨＤＤ６０に記憶された画像割り込み許可リストに含まれる件名情報、メールアドレス、本文及びバウンダリ情報のうち少なくともいずれか一つを変更する。この許可リスト変更手段は、会議参加者等が画像投影装置１の制御パネルＰの所定ボタンを操作することによって実行されるものである。例えば、図６に示す会議案内メールに基づいて、会議召集メール及び返信メールが行われたとき、会議案内メールに含まれる「会議の名称」や「会議への参加対象者のメールアドレス」がＨＤＤ６０の画像割り込み許可リストに記憶されるが、「会議への参加対象者のメールアドレス」のうち、「ito@example.com」のみを許可リスト変更手段によって削除することができる。
【０１２４】
[３．画像投影装置の動作]
次に、本実施形態における画像投影装置１を実際に会議で用いて、プレゼンテーション用の画像データを取得し、取得した画像データを所定の宛先へ送信し、さらに当該画像データを投影する動作の一例について、図１１〜図１７を参照して具体的に説明する。図１１は本実施形態における画像投影装置１のメイン処理フローチャート、図１２は本実施形態における画像投影装置１のメール受信処理フローチャート、図１３は本実施形態における画像投影装置１の事前処理フローチャート、図１４は本実施形態における返信メール処理フローチャート、図１５は本実施形態における会議開催処理フローチャート、図１６は本実施形態における画像データ表示処理フローチャート、図１７は本実施形態における割り込み許可判定処理フローチャートである。
【０１２５】
[３．１．メイン処理]
図１１に示すように、画像投影装置１の電源がＯＮになると、画像投影装置１のＣＰＵ５２は、ＲＡＭ５６のアクセス許可、作業領域確保のための初期化等の初期設定動作を実行し、ＲＯＭ５４に格納された各プログラムをＣＰＵ５２による実行状態とし、制御部５０としての機能を動作させた後（ステップＳ１）、ステップＳ２に処理を移す。なお、画像投影装置１の電源がＯＮになった状態であっても、後述するステップＳ５の会議開催処理が実行されるまでの間、制御部５０は、少なくとも画像処理部３０及び投影部４０の動作を停止する処理、すなわち、スタンバイモード処理を実行する。このスタンバイモード処理の実行中に、制御部５０は、ステップＳ２のメール受信処理及びステップＳ３の事前処理を所定の時間おきに実行するようにしても良い。
【０１２６】
ステップＳ２において、制御部５０は、メール受信処理を実行する。このメール受信処理は、図１２におけるステップＳ１０〜Ｓ１４の処理であり、後述で詳説する。メール受信処理が終了すると、制御部５０は、ステップＳ３に処理を移す。
【０１２７】
ステップＳ３において、制御部５０は、事前処理を実行する。この事前処理は、図１３におけるステップＳ２１〜Ｓ２４の処理であり、後述で詳説する。事前処理が終了すると、制御部５０は、ステップＳ４に処理を移す。
【０１２８】
ステップＳ４において、制御部５０は、後述するように、ステップＳ３の事前処理においてＲＡＭ５６に記憶した会議案内メールにおける締め切り日時の情報を読み出して、現在の日時が締め切り日時に到達しているか否かを判定する。
【０１２９】
この処理において、制御部５０は、現在の日時が締め切り日時に到達していると判定すると（ステップＳ４：Ｙｅｓ）、ステップＳ５に処理を移し、現在の日時が締め切り日時に到達していないと判定すると（ステップＳ４：Ｎｏ）、ステップＳ２に処理を移し、ステップＳ２からの処理を繰り返す。
【０１３０】
ステップＳ５において、制御部５０は、会議開催処理を実行する。この会議開催処理は、図１５におけるステップＳ３１〜Ｓ３８の処理であり、後述で詳説する。会議開催処理が終了すると、制御部５０は、ステップＳ６に処理を移す。
【０１３１】
ステップＳ６において、制御部５０は、画像投影装置１の電源がＯＦＦにされたか否かを判定する。
【０１３２】
この処理において、電源がＯＦＦにされたと判定すると（ステップＳ６：Ｙｅｓ）、制御部５０は、画像投影装置１の動作を停止して、メイン処理を終了する。
【０１３３】
一方、この処理において、電源がＯＦＦにされていないと判定すると（ステップＳ６：Ｎｏ）、制御部５０は、ステップＳ２に処理を移行し、ステップＳ２からの処理を繰り返す。
【０１３４】
[３．２．メール受信処理]
ここで、ステップＳ２におけるメール受信処理の一例について、図１２に示すフローチャートを参照して具体的に説明する。メール受信処理は、会議が開催される前において、通信ネットワーク２に接続されたメールサーバ７に画像投影装置１宛ての電子メールがあるときに、制御部５０が、当該電子メールを受信するための処理である。
【０１３５】
図１２に示すように、メール受信処理を開始すると、ステップＳ１０において、制御部５０は、メール処理部２０を制御して、通信ネットワーク２に接続されたメールサーバ７に画像投影装置１宛ての電子メールがあるか否かを判定する。
【０１３６】
この処理において、画像投影装置１宛ての電子メールがないと判定すると（ステップＳ１０：Ｎｏ）、制御部５０は、メール受信処理を終了する。
【０１３７】
一方、この処理において、画像投影装置１宛ての電子メールがあると判定すると（ステップＳ１０：Ｙｅｓ）、制御部５０は、処理をステップＳ１１に移行する。
【０１３８】
ステップＳ１１において、制御部５０は、メール処理部２０を制御して、メールサーバ７からインターフェース１２を介して画像投影装置１宛ての電子メールを受信し、この電子メールをＲＡＭ５６に記憶し、ステップＳ１２に処理を移行する。ＲＡＭ５６に記憶される電子メールには、上述した会議案内メール（図６参照）、及び会議召集メール対する返信メール（図８参照）等が含まれる。
【０１３９】
ステップＳ１２において、制御部５０は、メール処理部２０を制御して、ステップＳ１１で受信した電子メールの内容を所定の解析テーブルに従って解析し、処理をステップＳ１３に移行する。
【０１４０】
すなわち、制御部５０は、ＲＡＭ５６に記憶された電子メールの情報を読み出して、この電子メールの内容を所定の解析テーブルに従って解析し、その内容を解析結果として抽出しＲＡＭ５６に記憶する。
【０１４１】
この解析の結果、制御部５０は、電子メールが会議案内メールであると判定すると、会議案内メールである旨の識別情報、及び、会議の名称、返信メールの締め切り日時の情報等の会議案内情報を会議案内メールの解析結果として抽出すると共に、会議案内情報から会議への参加対象者の宛先を抽出してＲＡＭ５６に記憶する。
【０１４２】
一方、この解析の結果、制御部５０は、電子メールが返信メールであると判定すると、返信メールである旨の識別情報、会議への参加対象者の出欠情報、格納位置特定情報、画像データのファイル名、パスワード情報、画像データ送信時期の情報を抽出してＲＡＭ５６に記憶する。
【０１４３】
ステップＳ１３において、制御部５０は、ステップＳ１２における電子メールの解析結果から電子メールの内容が正常か否かを判定する。すなわち、ステップＳ１２における電子メールの解析結果にエラーがあるか否かを判定するのである。
【０１４４】
ここで、電子メールの解析結果にエラーがあるとは、ステップＳ１２における、会議案内メール（図６参照）の解析結果にエラーがあること、又は返信メール（図８参照）の解析結果にエラーがあることをいう。
【０１４５】
会議案内メールの解析結果にエラーがあるとは、メールの件名情報、会議の名称や会議の開催日等の会議案内情報が会議案内メールから欠落していること、あるいは、これらの情報が会議案内メールの記載から認識できないことをいう。例えば、会議案内メールのヘッダにおける件名情報（Subject）の欄に、メールの件名情報として「Meeting」と記載され、「Meeting」と正しく記載されていない場合には、受信した電子メールが会議案内メールとして認識することができないので、会議案内メールの解析結果にエラーがあり、制御部５０は、電子メールの内容を正常でないと判定するのである。
【０１４６】
また、返信メールの解析結果にエラーがあるとは、格納位置特定情報、パスワード情報、画像データ送信時期等の情報が返信メールから欠落していること、あるいは、これらの情報が返信メールの記載から認識できないことをいう。例えば、返信メールの本文における第１行目に会議への出欠情報を示す「Yes」又は「No」が記載されるべきところ、誤って第２行目に記載されるべき格納情報位置特定情報「\\PC\share」が記載された場合には、受信した電子メールが返信メールとして認識することができないので、返信メールの解析結果にエラーがあり、制御部５０は、電子メールの内容を正常でないと判定するのである。
【０１４７】
この処理において、ステップＳ１２における電子メールの解析結果にエラーがなければ、制御部５０は、電子メールの内容を正常であると判定し（ステップＳ１３：Ｙｅｓ）、メール受信処理を終了し、処理をメイン処理へ戻す。
【０１４８】
一方、この処理において、ステップＳ１２における電子メールの解析結果にエラーがあれば、制御部５０は、電子メールの内容を正常でないと判定し（ステップＳ１３：Ｎｏ）、処理をステップＳ１４に移行する。
【０１４９】
ステップＳ１４において、制御部５０は、電子メールの解析結果にエラーがあることを通知するためのエラーメールを作成し、このエラーメールをＲＡＭ５６に記憶した上でメール受信処理を終了し、処理をメイン処理へ戻す。なお、電子メールの内容が正常であった場合も、正常な内容の電子メールを受信した旨の受付メールを作成してもよい。
【０１５０】
[３．３．事前処理]
次に、ステップＳ３における事前処理の一例について、図１３に示すフローチャートを参照して具体的に説明する。この事前処理は、会議が開催される前において、ステップＳ２におけるメール受信処理により受信した電子メールの内容に応じて、制御部５０が、会議を開催するために必要な各種の処理を実行するための処理である。
【０１５１】
図１３に示すように、事前処理を開始すると、ステップＳ２１において、制御部５０は、ステップＳ２におけるメール受信処理により受信した電子メールが会議案内メールであるか否かを判定する。
【０１５２】
具体的には、制御部５０は、ステップＳ１２においてＲＡＭ５６に記憶された、会議案内メールである旨の識別情報又は返信メールである旨の識別情報をＲＡＭ５６から読み出して、受信した電子メールがいずれの識別情報を有しているか否かを判定することにより、受信した電子メールが会議案内メールであるか否かを判定する。
【０１５３】
ステップＳ２１において、制御部５０は、受信した電子メールが会議案内メールであると判定すると（ステップＳ２１：Ｙｅｓ）、処理をステップＳ２２に移行し、受信した電子メールが会議案内メールでないと判定すると（ステップＳ２１：Ｎｏ）、処理をステップＳ２３に移行する。
【０１５４】
ステップＳ２２において、制御部５０は、ＲＡＭ５６から会議案内情報を読み出して、この会議案内情報に基づいて会議召集メールを作成し、この会議召集メールを会議への参加対象者に対して送信した後に、事前処理を終了して処理をメイン処理へ戻す。
【０１５５】
ステップＳ２３において、制御部５０は、受信した電子メールが会議召集メールに対する返信メールであるか否かを判定する。
【０１５６】
具体的には、制御部５０は、ステップＳ１２においてＲＡＭ５６に記憶された、会議案内メールである旨の識別情報及び返信メールである旨の識別情報をＲＡＭ５６から読み出して、受信した電子メールがいずれの識別情報を有しているか否かを判定することにより受信した電子メールが会議召集メールに対する返信メールであるか否かを判定するのである。
【０１５７】
ステップＳ２３において、制御部５０は、受信した電子メールが会議召集メールに対する返信メールであると判定すると（ステップＳ２３：Ｙｅｓ）、処理をステップＳ２４に移行し、受信した電子メールが会議召集メールに対する返信メールでないと判定すると（ステップＳ２３：Ｎｏ）、ステップＳ１４において作成したエラーメール（受付メールが作成されている場合は、受付メール）を電子メールの送信元に対して送信した後に、事前処理を終了して処理をメイン処理へ戻す。このエラーメールを確認することで、電子メールの送信元は、自己が送信した電子メールに不備が存在していたことを認識することができる。
【０１５８】
ここで、制御部５０は、電子メールが会議案内メールでも返信メールでもないと判定すると、その他の機能処理を実行するようにしても良い。その他の機能処理とは、例えば、会議の開催や会議での発表を中止する場合に、制御部５０が、ＲＡＭ５６に記憶された会議案内メールに含まれる会議案内情報、返信メールに含まれる画像データ送信時期の情報、格納位置特定情報、パスワード情報等を消去する処理（情報消去処理ともいう。）である。この情報消去処理を実行する際には、電子メールのヘッダにおける「Subject」欄に、例えば、情報消去処理の識別情報としてメールタイトル「Cancel」が記載され、制御部５０は、メール処理部２０を制御して、かかる情報消去処理の識別情報を抽出し、ＲＡＭ５６に記憶する。そして、制御部５０は、ＲＡＭ５６に記憶された情報消去処理の識別情報を読み出して情報消去処理を実行するのである。
【０１５９】
ステップＳ２４において、制御部５０は、返信メール処理を実行する。この返信メール処理は、図１４におけるステップＳ１０１〜Ｓ１１２の処理であり、後述で詳説する。返信メール処理が終了すると、制御部５０は、事前処理を終了して処理をメイン処理へ戻す。
【０１６０】
[３．４．返信メール処理]
次に、ステップＳ２４における返信メール処理の一例について、図１４に示すフローチャートを参照して具体的に説明する。この返信メール処理は、ステップＳ２３において受信した電子メールが会議召集メールに対する返信メールであると判定したときに、制御部５０が、返信メールの解析結果に基づいて、会議に用いる画像データを通信ネットワーク２を介して取得し、取得した画像データを所定の宛先へ配布資料として送信するための処理である。
【０１６１】
図１４に示すように、返信メール処理を開始すると、ステップＳ１０１において、制御部５０は、返信メールに含まれた会議への出欠情報が出席情報であるか否かを判定する。返信メールに含まれた会議への出欠情報が出席情報であるか否かは、制御部５０が、ステップＳ１２においてＲＡＭ５６に記憶した、返信メールに含まれる会議への出欠情報を読み出して、当該出欠情報が出席情報であるか否かを判定する。
【０１６２】
この処理において、会議への出欠情報が出席情報でないと判定すると（ステップＳ１０１：Ｎｏ）、制御部５０は、返信メール処理を終了し、処理をメイン処理へ戻す。
【０１６３】
一方、この処理において、会議への出欠情報が出席情報であると判定すると（ステップＳ１０１：Ｙｅｓ）、制御部５０は、処理をステップＳ１０２に移行する。
【０１６４】
ステップＳ１０２において、制御部５０は、画像データの送信先となる所定の宛先を決定し、処理をステップＳ１０３に移行する。すなわち、制御部５０は、ＲＡＭ５６に記憶された出席情報が含まれる返信メールの送信元を画像データの送信先として決定するのである。
【０１６５】
ステップＳ１０３において、制御部５０は、ＲＡＭ５６から返信メールの解析結果を読み出して、画像データ送信時期を抽出して決定し、処理をステップＳ１０４に移行する。
【０１６６】
ステップＳ１０４において、制御部５０は、ＲＡＭ５６に記憶された返信メールの解析結果にパスワード情報がある否かを判定する。
【０１６７】
この処理において、制御部５０は、返信メールの解析結果にパスワード情報がないと判定すると（ステップＳ１０４：Ｎｏ）、処理をステップＳ１０６に移行し、返信メールの解析結果にパスワード情報があると判定すると（ステップＳ１０４：Ｙｅｓ）、処理をステップＳ１０５に移行する。
【０１６８】
ステップＳ１０５において、制御部５０は、ＲＡＭ５６に記憶されたパスワード情報を読み出し、このパスワード情報を、画像データを取得するための要求信号に設定して、処理をステップＳ１０６に移行する。
【０１６９】
ステップＳ１０６において、制御部５０は、ＲＡＭ５６から格納位置特定情報を読み出して、この格納位置特定情報に基づいて画像データを取得するための要求信号を通信ネットワーク２へ送信することにより、画像データを通信ネットワーク２を介して取得し、処理をステップＳ１０７に移行する。
【０１７０】
ステップＳ１０７において、制御部５０は、ステップＳ１０６において取得した画像データの容量が、ＨＤＤ６０の記憶容量の残量を超過しているか否かを判定する。
【０１７１】
この処理において、制御部５０は、ステップＳ１０６において取得した画像データの容量がＨＤＤ６０の記憶容量の残量を超過していないと判定すると（ステップＳ１０７：Ｎｏ）、処理をステップＳ１０８に移行し。ステップＳ１０６において取得した画像データの容量がＨＤＤ６０の記憶容量の残量を超過していると判定すると（ステップＳ１０７：Ｙｅｓ）、処理をステップＳ１０９に移行する。
【０１７２】
ステップＳ１０８において、制御部５０は、ステップＳ１０６において取得した画像データをＨＤＤ６０に記憶し、処理をステップＳ１１０に移行する。
【０１７３】
ステップＳ１０９において、制御部５０は、ステップＳ１０６において取得した画像データを通信ネットワーク２を介して所定の装置としてのファイルサーバ８に記憶し、処理をステップＳ１１０に移行する。
【０１７４】
ステップＳ１１０において、制御部５０は、ＲＡＭ５６から各返信メール毎の解析結果を読み出して、この解析結果に基づいて、資料一覧表を作成しＲＡＭ５６に記憶し、処理をステップＳ１１１に移行する。
【０１７５】
ステップＳ１１１において、制御部５０は、ステップＳ１０３において決定した画像データ送信時期が画像データを用いる会議の開催前であるか否かを判定する。
【０１７６】
この処理において、画像データ送信時期が画像データを用いる会議の開催前であると判定すると（ステップＳ１１１：Ｙｅｓ）、処理をステップＳ１１２に移行する。
【０１７７】
一方、この処理において、画像データ送信時期が画像データを用いる会議の開催前でないと判定すると（ステップＳ１１１：Ｎｏ）、返信メール処理を終了し、処理を事前処理へ戻す。
【０１７８】
ステップＳ１１２において、制御部５０は、資料配布処理を行った後、返信メール処理を終了し、処理を事前処理へ戻す。
【０１７９】
この処理において、制御部５０は、ステップＳ１０６において取得した画像データを電子メールに添付して、ステップＳ１０２において決定した所定の宛先へ電子メールに対して送信する。
【０１８０】
[３．５．会議開催処理]
次に、ステップＳ５における会議開催処理の一例について、図１５に示すフローチャートを参照して具体的に説明する。
【０１８１】
図１５に示すように、会議開催処理を開始すると、ステップＳ３１において、制御部５０は、現在の日時が会議の開催日時の所定時間前であるか否かを判定する。具体的には、制御部５０は、ＲＡＭ５６に記憶された会議案内情報のうち、会議の開催日及び会議の開始時間の情報を読み出して、現在の日時が会議の開催日時の所定時間前であるか否かを判定する。
【０１８２】
この処理において、制御部５０は、現在の日時が会議の開催日時の所定時間前でないと判定すると（ステップＳ３１：Ｎｏ）、現在の日時が会議の開催日時の所定時間に到達するまでこの処理を繰り返し、現在の日時が会議の開催日の所定時間前であると判定すると（ステップＳ３１：Ｙｅｓ）、処理をステップＳ３２に移行する。なお、ステップＳ３１の処理を繰り返し実行中であっても、制御パネルＰに対して何らかの入力があった場合には、制御部５０は、上述したスタンバイモード処理を停止し、ステップＳ３１の処理からステップＳ３２の処理に移行するようにしても良い。
【０１８３】
ステップＳ３２において、制御部５０は、ステップＳ１１０において作成した資料一覧表を表示し、ステップＳ３３の処理に移行する。
【０１８４】
具体的には、制御部５０は、ステップＳ１１０において作成された資料一覧表のデータをＲＡＭ５６から取り出し、資料一覧表の描画イメージを画像処理部３０の映像記憶メモリ３４に書き込む。このように映像記憶メモリ３４に書き込まれた電子メール一覧表の描画イメージに応じた画像が、投影部４０を介してスクリーンＳに投影されることとなる。
【０１８５】
ステップＳ３３において、制御部５０は、制御パネルＰの図示しない画像データ選択ボタンが操作され、資料一覧表に含まれる特定の画像データが選択されたか否か判定する。この制御パネルＰは、利用者が選択ボタンを操作することにより、資料一覧表のカーソルで指示された所望の画像データを選択し得るようになっている。
【０１８６】
この処理において、特定の画像データが選択されていないと判定すると（ステップＳ３３：Ｎｏ）、制御部５０は、処理をステップＳ３２に戻す。
【０１８７】
一方、この処理において、特定の画像データが選択されたと判定すると（ステップＳ３３：Ｙｅｓ）、ステップＳ３４の処理に移行する。
【０１８８】
ステップＳ３４において、制御部５０は、ステップＳ１０３において決定した画像データ送信時期が画像データを用いる会議の最中であるか否かを判定する。
【０１８９】
この処理において、制御部５０は、ステップＳ１０３において決定した画像データ送信時期が画像データを用いる会議の最中でないと判定すると（ステップＳ３４：Ｎｏ）、処理をステップＳ３６に移行する。
【０１９０】
一方、この処理において、制御部５０は、ステップＳ１０３において決定した画像データを配布すべき時期が画像データを用いる会議の最中であると判定すると（ステップＳ３４：Ｙｅｓ）、処理をステップＳ３５に移行する。
【０１９１】
ステップＳ３５において、制御部５０は、ステップＳ１１２と同様の資料配布処理を実行し、処理をステップＳ３６に移行する。
【０１９２】
ステップＳ３６において、制御部５０は、ＲＯＭ５４に格納された所定のアプリケーションソフトを実行することにより、画像データ表示処理を実行し、処理をステップＳ３７に移行する。
【０１９３】
具体的には、制御部５０は、ステップＳ１０８においてＨＤＤ６０に記憶した画像データ、又はステップＳ１０９においてファイルサーバ８に記憶した画像データに応じて原画像データを生成し、この原画像データを画像処理部３０によって投影画像に変換した後、当該投影画像を投影部４０を介してスクリーンＳに画像を投影する。
【０１９４】
ステップＳ３７において、制御部５０は、ステップＳ１０３において決定した画像データ送信時期が画像データを用いる会議の開催後であるか否かを判定する。
【０１９５】
この処理において、制御部５０は、ステップＳ１０３において決定した画像データ送信時期が画像データを用いる会議の開催後であると判定すると（ステップＳ３７：Ｙｅｓ）、処理をステップＳ３８に移行する。
【０１９６】
この処理において、制御部５０は、ステップＳ１０３において決定した画像データ送信時期が画像データを用いる会議の開催後でないと判定すると（ステップＳ３７：Ｎｏ）、会議開催処理を終了し、処理をメイン処理へ戻す。
【０１９７】
ステップＳ３８において、制御部５０は、ステップＳ１１２と同様の資料配布処理を実行した後、会議開催処理を終了し、処理をメイン処理へ戻す。
【０１９８】
また、本実施形態においては、ステップＳ１１２、ステップＳ３５、及びステップＳ３８において、制御部５０は、ステップＳ１０６において取得した画像データの格納位置の情報を、ステップＳ１０２において決定した所定の宛先へ電子メールにより送信するようにしても良い。
【０１９９】
[３．６．画像データ表示処理]
次に、ステップＳ３６における画像データ表示処理の一例について、図１６に示すフローチャートを参照して具体的に説明する。
【０２００】
図１６に示すように、画像データ表示処理を開始すると、ステップＳ２０１において、制御部５０は、画像データの表示を行う。すなわち、制御部５０は、ステップＳ１０６において取得された画像データをＨＤＤ６０又はファイルサーバ８から取り出し、このように取り出した画像データの描画イメージを画像処理部３０の映像記憶メモリ３４に書き込む。このように映像記憶メモリ３４に書き込まれた画像データの描画イメージに応じた画像（通常画像）が、投影部４０を介してスクリーンＳに投影されることとなる（図４（ａ）参照）。
【０２０１】
次に、制御部５０は、メール受信処理を行う（ステップＳ２０２）。このメール受信処理は、上述した図１２におけるステップＳ１０〜Ｓ１４の処理である。メール受信処理が終了すると、制御部５０は、ステップＳ２０３に処理を移す。
【０２０２】
ステップＳ２０３において、制御部５０は、割り込み許可判定処理を行う。この割り込み許可判定処理は、図１７におけるステップＳ３０１〜Ｓ３０６の処理であり、後述で詳説する。割り込み許可判定処理が終了すると、制御部５０は、ステップＳ２０４に処理を移す。
【０２０３】
ステップＳ２０４において、制御部５０は、ステップＳ２０３における電子メールの解析の結果、割り込みを許可したか否かを判定する。具体的には、ＲＡＭ５６の所定領域に割り当てた割り込みフラグが「１」のとき、制御部５０は、割り込み許可とし、割り込みフラグが「０」のとき、制御部５０は割り込み不許可とする。
【０２０４】
この処理において、割り込みを許可したと判定すると（ステップＳ２０４：Ｙｅｓ）、制御部５０は、ステップＳ２０２においてメール処理部２０を介して受信した電子メールに画像データが添付されているか否かを判定する（ステップＳ２０５）。
【０２０５】
ステップＳ２０５において、ステップＳ２０２において受信した電子メールに画像データが添付されていると判定すると（ステップＳ２０５：Ｙｅｓ）、制御部５０は、ユーザである会議参加者に対して、割り込み画像がある旨の通知を行う（ステップＳ２０６）。
【０２０６】
具体的には、制御部５０は、画像投影装置１は、割り込み処理が実行可能である旨を示す割り込み通知画像の画像データをＲＡＭ５６から取り出し、このように取り出した画像データの描画イメージを画像処理部３０の映像記憶メモリ３４に書き込むことにより、割り込み通知画像を投影部４０を介してスクリーンＳに投影する（図４（ｂ）参照）。
【０２０７】
次に、制御部５０は、ユーザである会議参加者による制御パネルＰの操作により、割り込み画像の表示が選択されたか否かを判定する（ステップＳ２０８）。例えば、制御パネルＰに割り込み決定ボタン（図示せず）を配置するようにし、この割り込み決定ボタンが押下されたときに、割り込み画像の表示が選択されたと判定する。
【０２０８】
この処理において、割り込み画像の表示が選択されたと判定すると（ステップＳ２０８：Ｙｅｓ）、制御部５０は、割り込み画像の表示を行う（ステップＳ２０９）。すなわち、制御部５０は、ステップＳ２０２において取得された画像データをＲＡＭ５６から取り出し、このように取り出した画像データの描画イメージを画像処理部３０の映像記憶メモリ３４に書き込む。そして、このように映像記憶メモリ３４に書き込まれた画像データの描画イメージに応じた画像が、投影部４０を介してスクリーンＳに投影されることとなる（図４（ｃ）参照）。
【０２０９】
一方、ステップＳ２０５において、ステップＳ２０２において受信した電子メールに画像データが添付されていないと判定すると（ステップＳ２０５：Ｎｏ）、制御部５０は、ユーザである会議参加者に対して、エラーの通知を行う（ステップＳ２０７）。すなわち、制御部５０は、受信した電子メールで画像の割り込みができない旨を通知する画像（エラー通知画像）の画像データをＲＡＭ５６から取り出し、このように取り出した画像データの描画イメージを画像処理部３０の映像記憶メモリ３４に書き込む。そして、このように映像記憶メモリ３４に書き込まれた画像データの描画イメージに応じた画像が、投影部４０を介してスクリーンＳに投影されることとなる。
【０２１０】
ステップＳ２０７，Ｓ２０９の処理が終了したとき、或いは、割り込み画像の表示が選択されなかったと判定したとき（ステップＳ２０８：Ｎｏ）、制御部５０は、割り込み表示の中止が選択されたか否かを判定する（ステップＳ２１０）。例えば、制御パネルＰに割り込み中止ボタン（図示せず）を配置するようにし、この割り込み中止ボタンが押下されたときに、割り込み画像の表示の中止が選択されたと判定する。
【０２１１】
この処理において、割り込み表示の中止が選択されたと判定すると（ステップＳ２１０：Ｙｅｓ）、制御部５０は、ステップＳ２０９において割り込み画像を表示する前に表示していた通常画像（図４（ａ）参照）を投影して、画像の割り込み処理を終了する（ステップＳ２１１）。一方、割り込み表示の中止が選択されないと判定すると（ステップＳ２１０：Ｎｏ）、制御部５０は、処理をステップＳ２０２に移行する。
【０２１２】
ステップＳ２１１の処理が終了したとき、制御部５０は、画像データの表示が終了した否かを判定する（ステップＳ２１２）。例えば、制御パネルＰに表示終了ボタン（図示せず）を配置するようにし、この表示終了ボタンが押下されたときに、画像データの表示終了が選択されたと判定する。
【０２１３】
この処理において、画像データの表示が終了したと判定すると（ステップＳ２１２：Ｙｅｓ）、制御部５０は、画像データ表示処理を終了し、画像データの表示が終了していないと判定すると（ステップＳ２１２：Ｎｏ）、制御部５０は、処理をステップＳ２０２に移行する。
【０２１４】
このように本実施形態における画像投影装置１では、通常画像を投影中に、所定条件を満たす電子メールがあるときには、この電子メールに応じた画像を現在投影中の画像に代えて投影する割り込み処理を許可するので、急に投影させなければならなくなった画像データを通信ネットワークを介して取得して迅速に投影することができる画像投影装置を提供することができる。
【０２１５】
また、電子メールに添付された画像データに応じた画像を、投影中の通常画像に代えて投影部から投影する割込み処理を実行するので、例えば、会議中に投影したい画像データを添付した電子メールを送信するだけで、その画像データに応じた画像を割り込んで投影することができる。
【０２１６】
また、受信した電子メールが所定条件を満たさないと判定されると、割込み処理が不可の画像を投影するので、投影中の画像に割り込みを行うための電子メールを送ったのにもかかわらず、割り込みが行われないときにその原因を把握することが可能となる。
【０２１７】
また、いきなり割り込み処理を行わずに、利用者の操作によって割り込み処理を開始することができるので、投影中の画像が突然切り替わってしまうという状態を回避することができる。
【０２１８】
なお、上述したように、通常画像は、複数の画像で構成されることが多く、制御パネルＰにはページ切り替えボタンが設けられている。そして、このページ切り替えボタンの操作に応じて通常画像が切り替わるように投影されることになる。
【０２１９】
[３．７．割り込み許可判定処理]
次に、ステップＳ２０３における割り込み許可判定処理の一例について、図１７に示すフローチャートを参照して具体的に説明する。
【０２２０】
ＨＤＤ６０に記憶された画像割り込み許可リストに記載されている件名情報（Subject）のいずれかと一致するか否かを判定する（ステップＳ３０１）。例えば、図１０に示す画像割り込み許可リストを記憶している状態で、図９に示すような電子メールを受信したとき、制御部５０は、件名情報「Internet Fax Job」が一致すると判定する。
【０２２１】
この処理において、電子メールの件名情報が画像割り込み許可リストの件名情報とが一致すると判定すると（ステップＳ３０１：Ｙｅｓ）、制御部５０は、処理をステップＳ３０６に移行する。このステップＳ３０６において、制御部５０は、割り込み処理が可能であると判定し、ＲＡＭ５６の所定領域に割り当てた割り込みフラグを「１」として、割り込み許可判定処理を終了する。一方、電子メールの件名情報が画像割り込み許可リストの件名情報と一致しないと判定すると（ステップＳ３０１：Ｎｏ）、制御部５０は、処理をステップＳ３０２に移行する。
【０２２２】
ステップＳ３０２において、制御部５０は、ステップＳ２０２において受信した電子メールの送信元メールアドレス（From）がＨＤＤ６０に記憶された画像割り込み許可リストに記載されているメールアドレスのいずれかと一致するか否かを判定する。例えば、図１０に示す画像割り込み許可リストを記憶している状態で、図９に示すような電子メールを受信したとき、制御部５０は、メールアドレス「MFC860CDN-3F＠example.com」が一致すると判定する。
【０２２３】
この処理において、電子メールの送信元メールアドレスが画像割り込み許可リストに含まれるメールアドレスと一致すると判定すると（ステップＳ３０２：Ｙｅｓ）、制御部５０は、処理をステップＳ３０６に移行する。一方、電子メールの送信元メールアドレスが画像割り込み許可リストに含まれるメールアドレスと一致しないと判定すると（ステップＳ３０２：Ｎｏ）、制御部５０は、処理をステップＳ３０３に移行する。
【０２２４】
ステップＳ３０３において、制御部５０は、ステップＳ２０２において受信した電子メールのバウンダリ情報（Content-Type）がＨＤＤ６０に記憶された画像割り込み許可リストに記載されているバウンダリ情報のいずれかと一致するか否かを判定する。例えば、図１０に示す画像割り込み許可リストを記憶している状態で、図９に示すような電子メールを受信したとき、制御部５０は、バウンダリ情報「Brother Internet Fax」が一致すると判定する。
【０２２５】
この処理において、電子メールのバウンダリ情報が画像割り込み許可リストに含まれるバウンダリ情報と一致すると判定すると（ステップＳ３０３：Ｙｅｓ）、制御部５０は、処理をステップＳ３０６に移行する。一方、電子メールのバウンダリ情報が画像割り込み許可リストに含まれるバウンダリ情報と一致しないと判定すると（ステップＳ３０３：Ｎｏ）、制御部５０は、処理をステップＳ３０４に移行する。
【０２２６】
ステップＳ３０４において、制御部５０は、ステップＳ２０２において受信した電子メールの本文内容がＨＤＤ６０に記憶された画像割り込み許可リストに記載されている本文内容のいずれかと一致するか否かを判定する。例えば、図１０に示す画像割り込み許可リストを記憶している状態で、図９に示すような電子メールを受信したとき、制御部５０は、本文内容「Image data in PDF format has been attached.」が一致すると判定する。
【０２２７】
この処理において、電子メールの本文内容が画像割り込み許可リストに含まれる本文内容と一致すると判定すると（ステップＳ３０４：Ｙｅｓ）、制御部５０は、処理をステップＳ３０６に移行する。一方、電子メールの本文内容が画像割り込み許可リストに含まれる本文内容と一致しないと判定すると（ステップＳ３０４：Ｎｏ）、制御部５０は、処理をステップＳ３０５に移行する。
【０２２８】
ステップＳ３０５において、制御部５０は、割り込み処理が不可であると判定し、ＲＡＭ５６の所定領域に割り当てた割り込みフラグを「０」として、割り込み許可判定処理を終了する。
【０２２９】
このように本実施形態における画像投影装置１は、通常画像を投影中に、メール処理部２０において電子メールを受信する処理を行い、電子メールを受信すると、この電子メールが画像割り込みメールであるか否かを画像割り込み許可リストに基づいて判定するようにしているので、ユーザである会議参加者は、わざわざ受信したメールが画像割り込みメールであるか否かを判定する必要がなく、会議をスムーズに進行することができることになる。
【０２３０】
また、受信した電子メールのヘッダ部分又は本文部分に画像割り込み許可リストの情報と一致する情報が含まれていることを、受信した電子メールを画像割り込みメールと判定するための一つの条件としているので、割り込み処理の許可判断を容易に行うことができる。
【０２３１】
以上のように、画像投影装置１において、通信ネットワーク２を介して電子メールを受信し、受信した電子メールの内容を解析し、その解析結果に基づいて、通信ネットワーク２を介して画像データを取得し、取得した画像データを通信ネットワーク２を介して所定の宛先へ送信するので、例えば、会議の際に画像投影装置で投影される画像データを別途ＰＣ間で電子メールによりやり取りする必要がなく、利便性の高い画像投影装置を提供することができる。
【０２３２】
また、画像投影装置１において、通常画像を投影中に、所定条件を満たす電子メールがあるときには、この電子メールに応じた画像を現在投影中の画像に代えて投影する割り込み処理を許可するので、急に投影させなければならなくなった画像データを通信ネットワークを介して取得して迅速に投影することができる画像投影装置を提供することができる。
【０２３３】
以上、本発明の好ましい実施の形態について説明したが、本発明はかかる特定の実施形態に限定されるものではなく、特許請求の範囲に記載された本発明の要旨の範囲内において、種々の変形・変更が可能である。
【図面の簡単な説明】
【０２３４】
【図１】本実施形態に係る画像投影装置を含む画像投影システムの構成を示す図である。
【図２】本実施形態に係る画像投影装置の会議開催前の基本的な動作の一例を説明するための図である。
【図３】本実施形態に係る画像投影装置の会議開催中の基本的な動作の一例を説明するための図である。
【図４】本実施形態に係る画像投影装置の会議開催中の投影画像一例を説明するための図である。
【図５】本実施形態に係る画像投影装置の内部構成を示すブロック図である。
【図６】本実施形態における会議案内メールの一例を示した図である。
【図７】本実施形態における会議召集メールの一例を示した図である。
【図８】本実施形態における会議召集メールに対する返信メールの一例を示す図である。
【図９】本実施形態における画像割り込みメールの一例を示した図である。
【図１０】本実施形態における画像割り込み許可リストの内容の一例を示した図である。
【図１１】本実施形態における画像投影装置のメイン処理フローチャートである。
【図１２】本実施形態における画像投影装置のメール受信処理フローチャートである。
【図１３】本実施形態における画像投影装置の事前処理フローチャートである。
【図１４】本実施形態における画像投影装置の返信メール処理フローチャートである。
【図１５】本実施形態における画像投影装置の会議開催処理フローチャートである。
【図１６】本実施形態における画像投影装置の画像データ表示処理フローチャートである。
【図１７】本実施形態における画像投影装置の割り込み許可判定処理フローチャートである。
【符号の説明】
【０２３５】
１        画像投影装置
２        通信ネットワーク
３〜６    ＰＣ
７        メールサーバ
８        ファイルサーバ
９        スキャナ装置
１０      入力部
１２      インターフェース
１４      映像信号入力手段
２０      メール処理部
３０      画像処理部
３２      画像処理回路
３４      映像記憶メモリ
４０      投影部
４１      ランプ
４２      照明光学系
４３      光変調素子
４４      結像光学系
４５      光変調素子ドライブ回路
４６      ランプ駆動回路
５０      制御部
５２      ＣＰＵ
５４      ＲＯＭ
５６      ＲＡＭ（記憶部）
６０      ＨＤＤ
Ｋ        画像投影システム
Ｐ        制御パネル
Ｓ        スクリーン
【図１】
2009003356.tif 000003
【図２】
2009003356.tif 000004
【図３】
2009003356.tif 000005
【図４】
2009003356.tif 000006
【図５】
2009003356.tif 000007
【図６】
2009003356.tif 000008
【図７】
2009003356.tif 000009
【図８】
2009003356.tif 000010
【図９】
2009003356.tif 000011
【図１０】
2009003356.tif 000012
【図１１】
2009003356.tif 000013
【図１２】
2009003356.tif 000014
【図１３】
2009003356.tif 000015
【図１４】
2009003356.tif 000016
【図１５】
2009003356.tif 000017
【図１６】
2009003356.tif 000018
【図１７】
2009003356.tif 000019